(57)【要約】【課題】地上波デジタル放送の視聴障害となるマルチパス及び同一チャンネルあるいは隣接チャンネルの妨害波を簡単に特定できるようにする。【解決手段】受信したＯＦＤＭ方式の信号をＡ／Ｄ変換部１４でデジタル信号に変換した後、ＦＦＴ処理部１５でＦＦＴ処理し、パイロット信号を抽出して、ＩＦＦＴ処理部２８で処理することにより、遅延波プロファイルを生成して、受信状態判定部２９で視聴障害を与えるマルチパス成分を特定する。さらに復調処理部１６の出力から同一チャンネル及び隣接チャンネルの妨害波を抽出して妨害波プロファイルを生成し、受信状態判定部２９で視聴障害を与える妨害波を特定する。遅延波プロファイルと妨害波プロファイルを受信状態判定部の判定結果と共にモニタ部２５に表示して、視聴障害の内容を報知する。【選択図】      図１
2004236076.tif 000002
【特許請求の範囲】
【請求項１】
ＯＦＤＭ放送信号を受信する受信手段と、
前記受信手段で受信したＯＦＤＭ信号に含まれるパイロット信号を抽出してこれを逆フーリエ変換処理することで遅延波プロファイルを生成する遅延波プロファイル生成手段と、
前記遅延波プロファイル生成手段で生成された遅延波プロファイルを表示する表示手段と、
を具備したことを特徴とする受信装置。
【請求項２】
複数のチャンネルを有するＯＦＤＭ放送信号の一つのチャンネルを切換え可能に選択受信する受信手段と、
前記受信手段で受信したＯＦＤＭ信号に含まれるパイロット信号を抽出してこれを逆フーリエ変換処理することで遅延波プロファイルを生成する遅延波プロファイル生成手段と、
前記受信したＯＦＤＭ信号を復調して復調信号を出力する復調手段と、
前記復調信号から、前記放送信号の同一チャンネルあるいは隣接チャンネルまたはそれら両方のチャンネルの妨害波を検出して妨害波プロファイルを生成する妨害波プロファイル生成手段と、
前記遅延波プロファイル生成手段で生成された遅延波プロファイルと前記妨害波プロファイル生成手段で生成された妨害波プロファイルから前記遅延波及び妨害波が視聴障害となるかを判定する受信状態判定手段と、
前記受信状態判定手段の判定結果を表示する表示手段と、
を具備したことを特徴とする受信装置。
【請求項３】
前記受信状態判定手段の判定結果に加えて、前記遅延波プロファイル生成手段と前記妨害波プロファイル生成手段で生成された各プロファイルのいずれか一方または両方を前記表示手段で表示するようにしたことを特徴とする請求項２に記載の受信装置。
【請求項４】
前記遅延遅延波プロファイル生成手段で生成された遅延波プロファイルが、視聴障害を与えるか否か判定する手段を備え、視聴障害を与えると判定された遅延波を視覚的に区別可能に表示するものであることを特徴とする請求項１に記載の受信装置。
【請求項５】
前記受信状態判定手段で、視聴障害を与えると判定された遅延波あるいは妨害波を視覚的に区別可能に表示するものであることを特徴とする請求項２に記載の受信装置。
【請求項６】
さらに、前記受信手段に供給されるＯＦＤＭ放送信号の受信レベル、前記復調手段で復調したデジタル信号の誤り率及び伝送パラメータを検出する検出部を備えそれら検出した情報の少なくとも一つを、前記受信状態判定結果と同時に前記表示手段で表示するようにしたことを特徴とする請求項２乃至５のいずれかに記載の受信装置。
【請求項７】
さらに前記受信状態判定手段に供給される前記受信手段で受信される複数のチャンネルの受信状態を示す情報をチャンネル毎に記憶するメモリ手段を備え、メモリに記憶した複数のチャンネルに関する受信状態を示す情報を前記表示手段で同時に表示するようにしたことを特徴とする請求項２乃至６のいずれかに記載の受信装置。
【請求項８】
ＯＦＤＭ放送信号を受信するステップと、
前記受信したＯＦＤＭ信号に含まれるパイロット信号を抽出するステッチと、
前記抽出されたパイロット信号を逆フーリエ変換処理することで遅延波プロファイルを生成するステップと、
前記生成された遅延波プロファイルを表示するステップと、
を具備したことを特徴とする受信方法。
【請求項９】
複数のチャンネルを有するＯＦＤＭ放送信号の一つのチャンネルを切換え可能に選択受信するステップと、
前記受信したＯＦＤＭ信号に含まれるパイロット信号を抽出してこれを逆フーリエ変換処理することで遅延波プロファイルを生成するステップと、
前記受信したＯＦＤＭ信号を復調して復調信号を出力するステップと、
前記復調信号から、前記放送信号の同一チャンネルあるいは隣接チャンネルまたはそれら両方のチャンネルの妨害波を検出して妨害波プロファイルを生成するステップと、
前記生成された遅延波プロファイルと前記生成された妨害波プロファイルから前記遅延波及び妨害波が視聴障害なるかを判定するステップと、
前記判定結果を表示するステップと、
を具備したことを特徴とする受信方法。
【発明の詳細な説明】
【０００１】
【発明の属する技術分野】
本発明は、地上波デジタル放送の受信装置に関し、特に受信状態をモニタすることでアンテナの設置を容易に行なえるようにした受信装置に関する。
【０００２】
【従来の技術】
地上波デジタル放送は、２００３年から一部の地域で開始され、２０１０年には、全ての地域でデジタル放送が実施される計画になっている。地上波デジタル放送は、基本的にはＵＨＦ（Ｕｌｔｒａ  Ｈｉｇｈ  Ｆｒｅｑｕｅｎｃｙ）帯を使って行なわれることになっており、地域によっては中継設備を含め新たな送信設備が設置されることになる。したがって、今までＶＨＦ（Ｖｅｒｙ  Ｈｉｇｈ  Ｆｒｅｑｕｅｎｃｙ）によるアナログ放送を受信していた地域では、地上波デジタル放送を受信するために新たにＵＨＦアンテナを設置する必要があり、また、ＵＨＦでアナログ放送を受信していた地域でも、送信設備の位置が変更された場合には、アンテナの向きを送信設備に合せて変更する必要がある。
【０００３】
現在、デジタル放送が実施されているＢＳ（Ｂｒｏａｄｃａｓｔｉｎｇ  Ｓａｔｅｌｌｉｔｅ）放送やＣＳ（Ｃｏｍｍｕｎｉｃａｔｉｏｎｓ  Ｓａｔｅｌｌｉｔｅ）放送を受信する受信器では、アンテナの設置を容易に行なうために種々の対策が講じられており、例えば特許文献１には、チューナのＡＧＣ（Ａｕｔｏｍａｔｉｃ  Ｇａｉｎ  Ｃｏｎｔｒｏｌ）電圧レベルから受信電波のレベルを判別してこれを表示するようにした提案がなされ、特許文献２には、受信したデジタル信号から推定誤り率を求めて、誤り率が最も小さくなるようにアンテナを設置する提案がなされ、特許文献３には主搬送波信号の電力と主搬送波が占有する周波数帯域に含まれる雑音電力の比（Ｃ／Ｎ：Ｃａｒｒｉｅｒ／Ｎｏｉｓｅ）を求めてこれを表示することで受信信号の状態を知らしめるようにした提案がなされている。
【０００４】
地上波デジタル放送でも、それらの技術を利用することは可能であるが、地上波であるが故に伝送路での反射・回折などにより複数の電波が干渉するマルチパスが発生することが予測され、従来の提案ではそれを探知することができず、マルチパスを確実に回避した受信状態を実現することができない。また、２０１０年までは、現状のアナログ放送とデジタル放送が混在するような地域も存在するものと考えられ、そのような環境に置いては、隣接チャンネル妨害、同一チャンネル妨害等による影響を受けることも予測されるが、それら妨害が具体的にどのようなものであるかを明確に区別して認識することができず、原因が不明であるが故に、はっきりした対策を講じることができないという問題も発生する。
【０００５】
以上のように、従来の受信装置においては、受信信号のレベル、受信したデジタル信号の誤り率、受信信号のＣ／Ｎ等から受信状態を判別して、アンテナを設置するようにしていたので、地上波デジタル放送特有の要因による受信障害については、それを明確に認識することができず、アンテナの設置作業を短時間で簡潔に行なうことができないという問題があった。
【０００６】
【特許文献１】
特開平７−４６０２０号公報（第４頁［００２３］〜［００３２］、図１〜３）
【特許文献２】
特開平１０−１３１３１号公報（第３頁［００１１］〜［００１３］、図１〜３）
【特許文献３】
特開平９−３７１７８号公報（第６頁［００５５］〜［００６１］、図４）
【０００７】
【発明が解決しようとする課題】
以上のように、従来の受信装置は、地上波デジタル放送特有の受信障害を具体的に特定することができず、受信アンテナの向きを簡潔に的確に設定することが困難であった。
本発明は、以上の点に対処してなされたものであり、マルチパス、隣接チャンネル妨害及び同一チャンネル妨害を確実に判別してこれを表示するように構成したことで、地上波デジタル放送用のアンテナの設置作業を簡単にかつ確実に行なえるようにした受信装置を提供することを目的とする。
【０００８】
【課題を解決するための手段】
本発明の受信装置は、ＯＦＤＭ放送信号を受信する受信手段と、前記受信手段で受信したＯＦＤＭ信号に含まれるパイロット信号を抽出してこれを逆フーリエ変換処理することで遅延波プロファイルを生成する遅延波プロファイル生成手段と、前記遅延波プロファイル生成手段で生成された遅延波プロファイルを表示する表示手段と、を具備したことを特徴とする。
【０００９】
本発明によれば、パイロット信号を処理することで遅延波プロファイルを生成するようにしたので、マルチパス信号を特定してこれを表示することができるものである。
本発明の受信装置は、複数のチャンネルを有するＯＦＤＭ放送信号の一つのチャンネルを切換え可能に選択受信する受信手段と、前記受信手段で受信したＯＦＤＭ信号に含まれるパイロット信号を抽出してこれを逆フーリエ変換処理することで遅延波プロファイルを生成する遅延波プロファイル生成手段と、前記受信したＯＦＤＭ信号を復調して復調信号を出力する復調手段と、前記復調信号から、前記放送信号の同一チャンネルあるいは隣接チャンネルまたはそれら両方のチャンネルの妨害波を検出して妨害波プロファイルを生成する妨害波プロファイル生成手段と、前記遅延波プロファイル生成手段で生成された遅延波プロファイルと前記妨害波プロファイル生成手段で生成された妨害波プロファイルから前記遅延波及び妨害波が視聴障害なるかを判定する受信状態判定手段と、前記受信状態判定手段の判定結果を表示する表示手段と、を具備したことを特徴とする。
【００１０】
本発明によれば、地上波デジタル放送で視聴障害となる要因を検出して具体的に表示することができるため、アンテナの設置作業を短時間で確実に実行できるようになるものである。
本発明の受信方法は、ＯＦＤＭ放送信号を受信するステップと、前記受信したＯＦＤＭ信号に含まれるパイロット信号を抽出するステッチと、前記抽出されたパイロット信号を逆フーリエ変換処理することで遅延波プロファイルを生成するステップと、前記生成された遅延波プロファイルを表示するステップと、を具備したことを特徴とする。
【００１１】
本発明によれば、パイロット信号を処理することで遅延波プロファイルを生成するようにしたので、マルチパス信号を特定してこれを表示することができるものである。
本発明の受信方法は、複数のチャンネルを有するＯＦＤＭ放送信号の一つのチャンネルを切換え可能に選択受信するステップと、前記受信したＯＦＤＭ信号に含まれるパイロット信号を抽出してこれを逆フーリエ変換処理することで遅延波プロファイルを生成するステップと、前記受信したＯＦＤＭ信号を復調して復調信号を出力するステップと、前記復調信号から、前記放送信号の同一チャンネルあるいは隣接チャンネルまたはそれら両方のチャンネルの妨害波を検出して妨害波プロファイルを生成するステップと、前記生成された遅延波プロファイルと前記生成された妨害波プロファイルから前記遅延波及び妨害波が視聴障害となるかを判定するステップと、前記判定結果を表示するステップと、を具備したことを特徴とする。
【００１２】
本発明によれば、地上波デジタル放送で視聴障害となる要因を検出して具体的に表示することができるため、アンテナの設置作業を短時間で確実に実行できるようになるものである。
【００１３】
【発明の実施の形態】
以下、図面を参照しながら本発明の実施の形態を詳細に説明する。
図１は、本発明の受信装置１０の回路ブロック図である。
図１において、アンテナ１１で受信された地上波デジタル放送は、チューナ１２に供給され、このチューナ１２でチャンネルの選局と選局した放送信号のベースバンド信号への変換処理が行なわれる。チューナ１２から出力されるベースバンド信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部１３へ供給される。ＯＦＤＭ復調部１３は、ベースバンド信号をデジタル信号に変換するＡ／Ｄ（Ａｎａｌｏｇ／Ｄｉｇｉｔａｌ）変換部１４、デジタル信号に変換された信号を高速フーリエ変換するＦＦＴ（Ｆａｒｓｔ  Ｆｏｕｒｉｅｒ  Ｔｒａｎｓｆｏｒｍ）処理部１５、ＦＦＴ変換された信号をＯＦＤＭ復調する復調処理部１６と、ＯＦＤＭ復調された信号をビタビ復号するビタビ復号部１７と、ビタビ復号された信号をリードソロモン復号するＲＳ（Ｒｅｅｄ  Ｓｏｌｏｍｏｎ）復号部１８を有する。
【００１４】
さらに、ＯＦＤＭ復調部１３は、チューナ１２の出力レベルを一定に制御するためのＡＧＣ制御信号を検出するＡＧＣ検波部１９と、復調処理部１６の出力から妨害波を検波するための妨害波検出部２０と同じく復調処理部１６の出力から、地上波デジタル放送システム（ＩＳＤＢ−Ｔ：Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）で規定される伝送パラメータを検出する伝送パラメータ検出部２１を含む。
【００１５】
ＯＦＤＭ復調部１３のＲＳ復号部１８の出力は、ＴＳ（Ｔｒａｎｓｐｏｒｔ  Ｓｔｒｅａｍ）信号であり、ＭＰＥＧ（Ｍｏｖｉｎｇ  Ｐｉｃｔｕｒｅ  Ｅｘｐｅｒｔｓ  Ｇｒｏｕｐ）デコーダ２２でＭＰＥＧ復号され、映像信号処理部２３で処理されてＯＳＤ（Ｏｎ  Ｓｃｒｅｅｎ  Ｄｉｓｐｌａｙ）合成部２４に供給される。通常の放送番組を視聴する場合には、映像信号処理部２３の出力はＯＳＤ合成部２４でアナログ信号に変換され、そのままモニタ部２５に供給されて表示される。
【００１６】
ＦＦＴ処理部１５の出力は、パイロット信号抽出部２６に供給され、ここでＯＦＤＭ信号に含まれるパイロット信号が抽出され、抽出されたパイロット信号がパイロット信号演算部２７で演算処理され、さらに逆高速フーリエ変換処理を行なうＩＦＦＴ（Ｉｎｖｅｒｓ  Ｆａｒｓｔ  Ｆｏｕｒｉｅｒ  Ｔｒａｎｓｆｏｒｍ）処理部２８で処理されて、遅延波プロファイルとして受信状態判別部２９へ供給される。遅延波プロファイルは、マルチパスの状況を表す信号である。
【００１７】
受信状態判定部２９には、さらにＯＦＤＭ復調部１３のＡＧＣ検波部１９の出力と、妨害波検出部２０の出力と、伝送パラメータ検出部２１の出力と、ビタビ復号部１７の出力が供給される。ＡＧＣ検波部１９の出力はチューナ１２の出力を一定レベルに制御するための信号であり、チューナ１２に供給される放送信号の受信レベルを示すものとして利用可能である。妨害波検出部２０の出力は、妨害波プロファイルを示すものであり、伝送パラメータ検出部２１の出力はＩＳＤＢ−Ｔの伝送パラメータを示すもので、さらにビタビ復号部１７の出力からはデジタル信号の誤り率を表すＢＥＲ（Ｂｉｔ  Ｅｒｒｏｒ  Ｒａｔｅ）が得られる。
【００１８】
受信状態判定部２９は、それら各入力信号から、アンテナ１１で受信される放送信号の受信状態を判定すると共に、妨害波プロファイル、遅延波プロファイル、伝送パラメータ、受信レベル、ＢＥＲをそれぞれ同時に、あるいは所定の組合わせで、ＯＳＤ合成部２４に供給し、アナログ信号に変換してモニタ部２５で表示させる。また、受信状態判定部２９には、メモリ３０が接続されており、妨害波プロファイル、遅延波プロファイル、伝送パラメータ、受信レベル、ＢＥＲ及びそれらによる受信状態の判定結果が記憶される。
【００１９】
遅延波プロファイルが得られる原理につき説明する。伝送路にマルチパスが存在する場合、パイロット信号抽出部２６で抽出されたパイロット信号はＩＦＦＴ処理部２８で逆高速フーリエ変換処理を行なうことにより、図２に示すようにマルチパスの状態を示す信号を得ることができる。すなわち、ＦＦＴ処理部１５による処理で、周波数領域に変換されたパイロット信号を、ＩＦＦＴ処理部２８での処理によって再び時間領域に変換することで、マルチパスを検出するものである。図２において、原信号Ｓに対して、Ｔが遅延された信号であり、マルチパスとなるものである。検出された情報は、データとしてメモリ３０に記憶される。
【００２０】
さらに、妨害波プロファイルが得られる原理について説明する。例えば、あるチャンネルにアナログ放送が存在する場合、図３に示すようにチャンネル帯域６ＭＨｚの中の、輝度信号キャリア周波数成分Ｙｃ１．２５ＭＨｚ成分と、色信号キャリア周波数成分Ｃｃ３．５８ＭＨｚと音声信号キャリア成分Ｓｃ４．５ＭＨｚ成分のスペクトラムが存在することになり、それを妨害波検出部２０で検出することでデジタル放送と同一チャンネルでアナログ放送が実施されていること、及び隣接チャンネルでアナログ放送が実施されていることが判別可能である。さらにそれらの信号成分のレベルを予め設定された閾値と比較し、閾値以上の成分を有する放送波を視聴に障害を与える妨害波として特定することができる。
【００２１】
さらに、各チャンネルでデジタル放送が実施されていることも妨害波検出部２０で検出できるものであり、視聴しようとするチャンネルの前後のチャンネルをチューナで選局し、妨害波検出部２０で周波数スペクトラムを検出することで、デジタル放送が実施されているチャンネルであるか否かを判別することができる。すなわち、デジタル放送が実施されているチャンネルでは、６ＭＨｚ全体に略一様のレベルのスペクトラムが得られ、それによってデジタル放送が実施されているチャンネルであることが特定できるものである。この場合も、スペクトラムのレベルを閾値と比較することによって、閾値以上になった場合、視聴に障害となる妨害波として特定することが可能である。
【００２２】
図４に、遅延波プロファイルの例を示す。図４においては、原信号Ｓに対して、２つの遅延信号Ｔ１，Ｔ２が存在する状態を示しており、点線Ｌが妨害波として特定するための閾値を示す。図４においては、Ｌを越えるＴ２が視聴に妨害を与えるマルチパスとして特定される。なお、図４におけるＧＩは、ガードインターバル（Ｇｕａｒｄ  Ｉｎｔｅｒｖａｌ）の時間を示す。
【００２３】
図５は、妨害波プロファイルの例を示す。図５においては、現在選局中のチャンネルＮを中心に、その前後のチャンネルＮ−１，Ｎ＋１の状況が示されている。チャンネルＮ−１は、輝度信号キャリア成分Ｙｃと色信号キャリア成分Ｃｃと音声キャリア成分Ｓｃが検出されており、アナログ放送が実施されていることが解る。点線Ｌは、妨害波となる閾値レベルを示すもので、Ｎ−１チャンネルでは、Ｌを越えていないため、視聴に障害を与える妨害波とならない。
【００２４】
チャンネルＮにおいては、アナログ放送の各キャリア成分が検出されているため、同一チャンネルでアナログ放送が実施され、かつ輝度信号のキャリア成分Ｙｃが閾値Ｌを越えているため、同一チャンネルのアナログ放送が視聴に障害を与える妨害波となることを示している。
【００２５】
チャンネルＮ＋１については、デジタル放送が実施されていることが判別されているが、閾値Ｌを越えていないため、妨害とはならない。
妨害波の検出処理について、図６のフローチャートを参照して説明する。ステップ６ａで開始され、ステップ６ｂでＮ−１ｃｈ（チャンネル）の選局が行なわれ、ステップ６ｃでデジタル信号が検出されたか否かの判定がなされる。デジタル信号が検出された場合、ステップ６ｄでデジタル信号成分の電力（信号レベル）が検出される。検出された電力を示すデータがステップ６ｅでメモリ３０に記憶される。
【００２６】
ステップ６ｃでデジタル信号の検出が行なわれなかった場合、ステップ６ｆでアナログ信号が検出されたか否かの判定が行なわれ、アナログ信号が検出された場合には、ステップ６ｄでアナログ信号成分の電力（信号レベル）が検出され、検出された電力を示すデータがメモリ３０に記憶される。ステップ６ｃ及び６ｆでデジタル信号もアナログ信号も検出されなかった場合には、ステップ６ｅでその状態もメモリ３０に記憶される。
【００２７】
以上で、チャンネルＮ−１の妨害波の検出が終了し、次にチャンネルＮ＋１について妨害波の検出処理が行なわれる。
ステップ６ｇでＮ＋１ｃｈ（チャンネル）の選局が行なわれ、ステップ６ｈでデジタル信号が検出されたか否かの判定がなされる。デジタル信号が検出された場合、ステップ６ｉでデジタル信号成分の電力（信号レベル）が検出される。検出された電力を示すデータがステップ６ｊでメモリ３０に記憶される。
【００２８】
ステップ６ｈでデジタル信号の検出が行なわれなかった場合、ステップ６ｋでアナログ信号が検出されたか否かの判定が行なわれ、アナログ信号が検出された場合には、ステップ６ｉでアナログ信号成分の電力（信号レベル）が検出され、検出された電力を示すデータがメモリ３０に記憶される。ステップ６ｈ及び６ｋでデジタル信号もアナログ信号も検出されなかった場合には、ステップ６ｊでその状態もメモリ３０に記憶される。
【００２９】
メモリ３０には、妨害波プロファイルデータの他、前述したように、遅延波プロファイル、伝送パラメータ、受信レベル、ＢＥＲが記憶されており、それらは同時にあるいは選択的に読み出されてＯＳＤ合成部２４に供給されて処理され、モニタ部２５で表示される。
【００３０】
遅延波プロファイル、妨害波プロファイル、受信レベル、ＢＥＲ及び伝送パラメータを同じ画面に表示させた状態を図７に示す。図７において、画面７０の左上に、受信周波数（チャンネル）７１が表示され、その下に受信レベル７２とＢＥＲ７３が示されている。さらにＢＥＲ７３の下に、遅延波プロファイル７４が示されている。また、画面７０の右上には、伝送パラメータ７５が表示され、その下に妨害波プロファイル７６が表示され、画面７０の下端中央にはメッセージ７７が表示されている。
【００３１】
図７の例においては、遅延波プロファイルに、閾値Ｌを超えるマルチパスが存在し、それ以外は、チャンネルＮのデジタル放送を受信する際に視聴に支障を来たす要因はないことが示されている。この場合、遅延波プロファイルの閾値Ｌを超えるＴ２を例えば赤等の目立つ色で他と区別して表示し、同時に、メッセージ欄７７にマルチパスによって受信状態が支障を来たしていることを表示するようにすればよい。
【００３２】
図７において表示されている伝送パラメータ７５の具体的な表示例に関して図８に示す。画面８０の上部８１に全体の仕様が表示され、下部の８２，８３，８４にそれぞれ、Ｌａｙｅｒ（レイヤ）Ａ，Ｂ，Ｃ毎の詳細な仕様が示されている。
以上のように、チューナ１２で選局しているチャンネルの受信状態を、妨害波プロファイル及び遅延波プロファイルを含むデータによって判定し、それを表示させることで、マルチパス及び妨害波が要因となる受信障害についても具体的要因を確認することができるため、アンテナの調整を簡潔にかつ確実に実行させることができるようになるものである。
【００３３】
ところで、アンテナの設置作業は、通常は受信器を新規に購入した時点で一度行なえば、以降は台風による風害等の特別な場合を除き、特に位置調整を行なう必要はなく、初期における設置作業も、電気器具販売店等の専門のサービス技術者が行なうのが一般である。したがって、図７に示す受信状態の判定結果を示す画面は、アンテナの設置作業時にサービス技術者用に表示できればよいものであり、専門性が強すぎて一般ユーザにとっては、必ずしも重要な情報であるとは言い難い。
【００３４】
一般のユーザにとっては、従来から実施されている例えば、図９に示すように、アンテナレベル（受信レベル）９１と、メッセージ９２のみの表示で充分であり、通常は図９の表示を選択し、特別な操作をすることで図７に示す表示に切換えるように構成することもできる。
【００３５】
また、各チャンネル毎に、受信状態を検出してメモリ３０に記憶しておき、それらを読み出して、図１０に示すように一度に画面表示するように構成してもよい。
以上のように、ＯＦＤＭ方式で使用されるパイロット信号をＩＦＦＴ処理することで遅延波プロファイルを生成し、復調処理部１６の出力から妨害波プロファイルを生成してそれらをモニタ部２５で表示するように構成したことにより、地上波デジタル放送を受信する際に受信障害となる要因を具体的に報知することができるため、アンテナ設置作業において、最適なアンテナの向きを簡潔に確実に知ることができるようになり、作業を簡単に実行することができるようになるものである。
【００３６】
【発明の効果】
以上のように、本発明の受信装置は、ＯＦＤＭ方式で使用されるパイロット信号からマルチパスを特定できる遅延プロファイルを生成し、さらに復調処理部の出力から、妨害波を特定できる妨害波プロファイルを生成して、それらプロファイルと閾値との関係をモニタ部で表示すると共に、視聴の障害となる要因をメッセージとして表示するようにしたので、アンテナの設置作業を短時間で的確に実施することができるようになるものである。
【図面の簡単な説明】
【図１】本発明に係る、受信装置の一実施の形態を示す構成図。
【図２】図１に示す装置の動作を説明するための波形図。
【図３】アナログ放送によるテレビジョン信号の特性図。
【図４】図１に示す装置の要部の動作を説明するための特性図。
【図５】図１に示す装置の他の要部の動作を説明するための特性図。
【図６】図１に示す装置の要部の動作を説明するためのフローチャート。
【図７】図１に示す装置の動作を説明するための図。
【図８】図１に示す装置の動作を説明するための図。
【図９】図１に示す装置の動作を説明するための図。
【図１０】図１の示す装置の他の動作を説明するための図。
【符号の説明】
１０…受信装置
１１…アンテナ
１２…チューナ
１３…ＯＦＤＭ復調部
１４…Ａ／Ｄ変換部
１５…ＦＦＴ処理部
１６…復調処理部
１７…ビタビ復号部
１８…ＲＳ復号部
１９…ＡＧＣ検波部
２０…妨害波検出部
２１…伝送パラメータ検出部
２２…ＭＰＥＧデコーダ
２３…映像信号処理部
２４…ＯＳＤ合成部
２５…モニタ部
２６…パイロット信号抽出部
２７…パイロット信号演算部
２８…ＩＦＦＴ処理部
２９…受信状態判定部
３０…メモリ
【図１】
2004236076.tif 000003
【図２】
2004236076.tif 000004
【図３】
2004236076.tif 000005
【図４】
2004236076.tif 000006
【図５】
2004236076.tif 000007
【図６】
2004236076.tif 000008
【図７】
2004236076.tif 000009
【図８】
2004236076.tif 000010
【図９】
2004236076.tif 000011
【図１０】
2004236076.tif 000012